(57)【要約】【課題】  ハウスにおける送風・換気システムは、作物の健全な生育環境と、収穫の拡充・品質の向上で必要であり、また、作物の効率的、かつ簡易な栽培にとって、最低限の必要条件となる。特に、ハウス内の送風では、作物に対する送風領域拡充と、効率的な送風確保と、送風量の少量化と、換気扇の低容量化、及び省資源化の達成と、ランニングコストの低廉化と、作物の収穫量の拡充・作業性の向上が期待されている。【構成】  ビニールハウスに設けた換気扇と、ハウス内の天井面を覆う遮蔽シートと底面シート、及び内面シートでなる通気性シートで構成したチャンバーボックスである。この底面シートを介して、ハウス内の空気を吸込み、換気扇で吸込んだ外気とで、混合空気を生成し、この混合空気を、内面シートを介して、ハウス内にゆるやかで一定の送風をする。【選択図】      図１−１
2010099009.tif 000002
【特許請求の範囲】
【請求項１】
ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスであり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスの構造。
【請求項２】
ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスであり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスの構造。
【請求項３】
請求項１、又は請求項２に記載のチャンバーボックスの構造において、
前記換気扇は、妻面の枠体に枢軸を介して、回転自在に設けられる構造であり、この枢軸を基軸として、１８０°回転可能に設けられる構造としたチャンバーボックスの構造。
【請求項４】
請求項１、又は請求項２に記載のチャンバーボックスの構造において、
前記遮蔽シートは、前記妻面よりハウス内に位置し、かつ天井面を覆うビニールシート、遮熱シート、遮断シート等でなる遮蔽シートとし、また、前記通気性シートは、この遮蔽シートの両底端部に連繋した底面シート、及びこの底面シートのハウス側端部に一方を連繋し、かつ前記遮蔽シートのハウス側の自由端部に他方を連繋した内面シートで構成する構造としたチャンバーボックスの構造。
【請求項５】
請求項１、又は請求項２に記載のチャンバーボックスの構造において、
前記チャンバーボックス内に吸込んだハウス内の空気を、少なくとも、作物の近傍及び／又は栽培土壌の畝間に送風するか、又は少なくとも、作物の近傍及び／又は栽培台と栽培土壌の隙間に送風する構造としたチャンバーボックスの構造。
【請求項６】
ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスと、このチャンバーボックスを介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内の略全体に送風するか、又はこのチャンバーボックスの底面シート及び／又は内面シートを介して、このチャンバーボックス内に吸込んだハウス内の空気を、この換気扇を介して、前記ハウス内に送風することを特徴としたハウスの換気口に装着されるチャンバーボックスを利用した送風方法。
【請求項７】
ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスと、このハウス内に設けた循環扇を介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するとともに、前記循環扇を介して、このハウス内の略全体に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスを利用した送風方法。
【請求項８】
ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスと、前記シャツタを介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内の略全体に送風するか、又はこのチャンバーボックスの底面シート及び／又は内面シートを介して、このチャンバーボックス内に吸込んだハウス内の空気を、この換気扇を介して、前記ハウス内に送風することを特徴としたハウスの換気口に装着されるチャンバーボックスを利用した送風方法。
【請求項９】
ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスと、このハウス内に設けた循環扇を介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するとともに、前記循環扇を介して、このハウス内の略全体に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスを利用した送風方法。
【発明の詳細な説明】
【技術分野】
【０００１】
本発明は、ハウスの換気口に装着されるチャンバーボックスの構造と、ハウスの換気口に装着されるチャンバーボックスを利用した送風方法に関する。
【背景技術】
【０００２】
ハウスにおける送風及び／又は換気システム（ハウス内の送風）は、作物の健全な生育環境と、収穫の拡充及び／又は品質の向上において必要であり、また、各人が所望する作物の効率的、かつ簡易な栽培等にとって、最低限必要な条件となること等は知られている。さらに、詳細に説明すると、ハウスにおける送風は、作物の作柄と、生育状況等に応じ、送風量・方向・強さ、又は送風時間等を、適宜変更することが必要であり、及び／又は、管理することが望ましいことから、この送風に関しては、極めて精緻で、かつ神経を要する作業である。
【０００３】
そして、昨今、特に要望されていることは、ハウス内の送風（空気の流れ）において、防虫ネットをハウスの長手方向及び／又は妻面方向で張装することにより、ハウスの長手方向に略水平方向の空気の流れと、広域的な空気の流れを確保しつつ、ハウス内における作地面積の拡充と、各人が所望するような作業性の効率の向上を確保することで、例えば、ハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図りつつ、作地面積の拡充による作物の収穫量の上昇、作物への作業性の向上等にある。
【０００４】
以上の状況から、その改良と、要望に応え得る研究と、これらに関する文献も種々散見される。以下、これらに関する文献を先行技術として列挙する。
【０００５】
文献（１）は、特開２００８−１１８８６４の「ハウスの送風システム」である。この発明は、ハウスの両妻面にファン及び／又は換気扇をそれぞれ設けたハウスの送風システムであって、ハウスの両妻面内部に、地面より、間隔をおいて通気性の底面シートを張装し、この底面シートのハウス内方側を折り曲げ、かつ天井面に至る通気性の内面シートを張装して防虫ネットを内張りする構造であり、この防虫ネットの内面シートを介して、ハウスの長手方向に、略水平方向の流れを確保することで、ハウスの換気と、害虫侵入防止と、益虫逃避防止等を図ること、又は作地・通行面積の確保と、作業の容易化を図ること等を意図する。
【０００６】
また、文献（２）は、特開平６−３３５３２４の「温室などの換気温度制御方法および該方法に用いる装置」である。この発明は、棟木に平行してダクトを設け、一端にダクトファンを、他端に開閉自在の妻窓を設け、下面中央に中央スリットと、さらに両側最上端に両側スリットを開口し、外気を、一端の妻窓から吸込み、中央スリットから温室内に降下せしめた後、室内の空気を両側スリットから排出する温室などの換気温度制御方法であり、温室等の換気、温度調節を室内全体に、均一かつ、短時間に行なうことを意図する。
【０００７】
【特許文献１】特開２００８−１１８８６４
【特許文献２】特開平６−３３５３２４
【発明の開示】
【発明が解決しようとする課題】
【０００８】
前記文献（１）は、ハウスの短手方向の断面全体を内面シートで覆う構造であり、換気扇の風を、ハウスの全体を送ることを意図する。しかし、一基の換気扇では、内面シートの全体に送るには、不可能でないにしても、換気扇の容量と、大きさに、過大の負荷が掛かり、結果として、現実性、合理性に欠けることがある。そして、ハウス栽培に最適で、かつ作物に優しい風と、葉裏に風を送り、炭酸ガスを払拭し、光合成に最適な環境を確保するには、この内面シートの全体に緩やかな風を送ることが望ましいが、この発明では、不可能と考えられることから、改良の余地がある。
【０００９】
また文献（２）は、ダクトの開閉を利用し、中央スリットから、温室内に風を降下（吹き下ろす）構造であり、温室の長手方向への送風と、緩やかな風を万遍なく送風する構造でなく、温室内における作物への送風領域の拡充と、効率的な送風を確保し、送風量の少量化と、ファン及び／又は換気扇の低容量化等による経済的な効果及び／又は省資源化の達成と、ランニングコストの低廉化を図りつつ、作地面積の拡充による作物の収穫量の上昇、作物への作業性の向上等を図るには、改良の余地がある。
【課題を解決するための手段】
【００１０】
請求項１の発明は、ハウス内に、略均等に、緩やかな風を送りつつ、ハウス内の空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項１の発明は、作物の高温障害の回避、病気の発生・蔓延防止・萎凋化防止等（植物の生育環境の確保）を意図する。
【００１１】
請求項１は、ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスであり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスの構造である。
【００１２】
請求項２の発明は、ハウス内に、略均等に、緩やかな風を送りつつ、ハウス内の空気を排気することで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項２の発明は、作物の高温障害の回避、病気の発生・蔓延防止・萎凋化防止等（植物の生育環境の確保）を意図する。
【００１３】
請求項２は、ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスであり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスの構造である。
【００１４】
請求項３の発明は、請求項１、又は請求項２の目的を合理的かつ簡易に達成し、また、最適で、かつ経済的な換気扇を提供することを意図する。
【００１５】
請求項３は、請求項１、又は請求項２に記載のチャンバーボックスの構造において、
前記換気扇は、妻面の枠体に枢軸を介して、回転自在に設けられる構造であり、この枢軸を基軸として、１８０°回転可能に設けられる構造としたチャンバーボックスの構造である。
【００１６】
請求項４の発明は、請求項１の目的を合理的かつ簡易に達成し、また、最適で、遮蔽シートと、通気性シートを提供することを意図する。
【００１７】
請求項４は、請求項１、又は請求項２に記載のチャンバーボックスの構造において、
前記遮蔽シートは、前記妻面よりハウス内に位置し、かつ天井面を覆うビニールシート、遮熱シート、遮断シート等でなる遮蔽シートとし、また、前記通気性シートは、この遮蔽シートの両底端部に連繋した底面シート、及びこの底面シートのハウス側端部に一方を連繋し、かつ前記遮蔽シートのハウス側の自由端部に他方を連繋した内面シートで構成する構造としたチャンバーボックスの構造である。
【００１８】
請求項５の発明は、請求項２、又は請求項２の目的を合理的かつ簡易に達成し、また、チャンバーボックス内に吸込んだハウス内の空気を、合理的に利用することを意図する。
【００１９】
請求項５は、請求項１、又は請求項２に記載のチャンバーボックスの構造において、
前記チャンバーボックス内に吸込んだハウス内の空気を、少なくとも、作物の近傍及び／又は栽培土壌の畝間に送風するか、又は少なくとも、作物の近傍及び／又は栽培台と栽培土壌の隙間に送風する構造としたチャンバーボックスの構造である。
【００２０】
請求項６の発明は、ハウス内の全体に、チャンバーボックスを介して、略均等に、緩やかな風を送りつつ、ハウス内の全体空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項１の発明は、作物の高温障害の回避、病気の発生・蔓延防止・萎凋化防止等（植物の生育環境の確保）を意図する。
【００２１】
請求項６は、ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスと、このチャンバーボックスを介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内の略全体に送風するか、又はこのチャンバーボックスの底面シート及び／又は内面シートを介して、このチャンバーボックス内に吸込んだハウス内の空気を、この換気扇を介して、前記ハウス内に送風することを特徴としたハウスの換気口に装着されるチャンバーボックスを利用した送風方法である。
【００２２】
請求項７の発明は、ハウス内の全体に、チャンバーボックスと循環扇を介して、略均等に、緩やかな風を送りつつ、ハウス内の全体空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項１の発明は、作物の高温障害の回避、病気の発生・蔓延防止・萎凋化防止等（植物の生育環境の確保）を意図する。
【００２３】
請求項７は、ビニールハウスの一方の妻面に設けた換気扇と、他方の妻面に設けたシャツタと、前記一方の妻面の換気扇の下側を基点に、ハウス内方に向かって、略水平状態に設けた底面シートと、この底面シートの自由端部より、前記ビニールハウスの天井面に向かって設けた内面シートでなる通気性シートで構成したハウスのチャンバーボックスと、このハウス内に設けた循環扇を介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するとともに、前記循環扇を介して、このハウス内の略全体に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスを利用した送風方法である。
【００２４】
請求項８の発明は、ハウス内の全体に、チャンバーボックスを介して、略均等に、緩やかな風を送りつつ、ハウス内の全体の空気を排気することで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項７の発明は、作物の高温障害の回避、病気の発生・蔓延防止・萎凋化防止等（植物の生育環境の確保）を意図する。
【００２５】
請求項８は、ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスと、前記シャツタを介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内の略全体に送風するか、又はこのチャンバーボックスの底面シート及び／又は内面シートを介して、このチャンバーボックス内に吸込んだハウス内の空気を、この換気扇を介して、前記ハウス内に送風することを特徴としたハウスの換気口に装着されるチャンバーボックスを利用した送風方法である。
【００２６】
請求項９の発明は、ハウス内の全体に、チャンバーボックスと循環扇を介して、略均等に、緩やかな風を送りつつ、ハウス内の全体の空気を排気することで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等を意図する。また、請求項７の発明は、作物の高温障害の回避、病気の発生・蔓延防止・萎凋化防止等（植物の生育環境の確保）を意図する。
【００２７】
請求項９は、ビニールハウスの一方の妻面に設けた換気扇と、他方の妻面に設けたシャツタと、このハウス内に設けたビニールシート、遮熱シート、遮断シート等でなる遮蔽シートと、この遮蔽シートの両底端部に設けた底面シート、及びこの底面シートのハウス側の自由端部に設けた内面シートでなる通気性シートで構成したハウスのチャンバーボックスと、このハウス内に設けた循環扇を介して、このハウス内に循環空気域を生成するチャンバーボックスを利用した送風方法であり、
このチャンバーボックスの底面シートを介して、ハウス内の空気を吸込むとともに、前記換気扇で吸込んだ外気をミキシングし、混合空気を生成し、この混合空気を、前記内面シートを介して、前記ハウス内に送風するとともに、前記循環扇を介して、このハウス内の略全体に送風するか、又はこのチャンバーボックスの底面シート及び／又は内面シートを介して、このチャンバーボックス内に吸込んだハウス内の空気を、この換気扇を介して、前記ハウス外に送風することを特徴としたハウスの換気口に装着されるチャンバーボックスを利用した送風方法である。
【発明の効果】
【００２８】
請求項１の発明は、ビニールハウスの妻面に設けた換気扇及びシャツタと、妻面の換気扇の下側を基点に、ハウス内方に向かって、略水平状態に設けた底面シートと、底面シートの自由端部より、ビニールハウスの天井面に向かって設けた内面シートでなる通気性シートで構成したハウスのチャンバーボックスであり、底面シートを介して、ハウス内の空気を吸込むとともに、換気扇で吸込んだ外気をミキシングし、混合空気を生成し、混合空気を、内面シートを介して、ハウス内に送風するか、又は底面シート及び／又は内面シートを介して、チャンバーボックス内に吸込んだハウス内の空気を、換気扇を介して、ハウス外に送風するチャンバーボックスの構造である。
【００２９】
従って、請求項１は、ハウス内に、略均等に、緩やかな風を送りつつ、ハウス内の空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化が達成され、さらにランニングコストの低廉化が図れ、又は作地面積の拡充による作物の収穫量の上昇、作物への作業性の向上等が図れる特徴がある。また、請求項１は、作物の高温障害の回避、病気の発生・蔓延防止・萎凋化防止等（植物の生育環境の確保）が図れる実益がある。
【００３０】
請求項２の発明は、ビニールハウスの妻面に設けた換気扇及びシャツタと、妻面よりハウス内に位置し、かつ天井面を覆うビニールシート、遮熱シート、遮断シート等でなる遮蔽シートと、遮蔽シートの底面シートと、ハウス側の開口を閉塞する内面シートでなる通気性シートで構成した、ハウスのチャンバーボックスであり、底面シートを介して、ハウス内の空気を吸込むとともに、換気扇で吸込んだ外気をミキシングし、混合空気を生成し、混合空気を、内面シートを介して、ハウス内に送風するか、又は底面シート及び／又は内面シートを介して、チャンバーボックス内に吸込んだハウス内の空気を、換気扇を介して、ハウス外に送風するチャンバーボックスの構造である。
【００３１】
従って、請求項２は、ハウス内に、略均等に、緩やかな風を送りつつ、ハウス内の空気を排気することで、例えば、このハウス内における作物への送風領域の拡充と、効率的な送風を確保し、送風量の少量化と、ファン及び／又は換気扇の低容量化等による経済的な効果及び／又は省資源化が達成され、さらにランニングコストの低廉化が図れ、又は作地面積の拡充による作物の収穫量の上昇、作物への作業性の向上等が図れる特徴がある。また、請求項１は、作物の高温障害の回避、病気の発生・蔓延防止・萎凋化防止等（植物の生育環境の確保）が図れる実益がある。
【００３２】
請求項３の発明は、請求項１、又は請求項２に記載のチャンバーボックスの構造において、
換気扇は、妻面の枠体に枢軸を介して、回転自在に設けられる構造であり、枢軸を基軸として、１８０°回転可能に設けられる構造としたチャンバーボックスの構造である。
【００３３】
従って、請求項３は、請求項１、又は請求項２の目的を合理的かつ簡易に達成できること、また、最適で、かつ経済的な換気扇を提供できること等の特徴を有する。
【００３４】
請求項４の発明は、請求項１、又は請求項２に記載のチャンバーボックスの構造において、
遮蔽シートは、妻面よりハウス内に位置し、かつ天井面を覆うビニールシート、遮熱シート、遮断シート等の遮蔽シートとし、また、通気性シートは、遮蔽シートの両底端部に連繋した底面シート、及び底面シートのハウス側端部に一方を連繋し、かつ遮蔽シートのハウス側の自由端部に他方を連繋した内面シートで構成する構造としたチャンバーボックスの構造である。
【００３５】
従って、請求項４は、請求項１の目的を合理的かつ簡易に達成できること、また、最適で、遮蔽シートと、通気性シートを提供できること等の特徴を有する。
【００３６】
請求項５の発明は、請求項１、又は請求項２に記載のチャンバーボックスの構造において、
チャンバーボックス内に吸込んだハウス内の空気を、少なくとも、作物の近傍及び／又は栽培土壌の畝間に送風するか、又は少なくとも、作物の近傍及び／又は栽培台と栽培土壌の隙間に送風する構造としたチャンバーボックスの構造である。
【００３７】
従って、請求項５は、又は請求項２の目的を合理的かつ簡易に達成でき、また、チャンバーボックス内に吸込んだハウス内の空気を、合理的に利用できること等の特徴を有する。
【００３８】
請求項６の発明は、ビニールハウスの妻面に設けた換気扇及びシャツタと、換気扇の下側を基点に、ハウス内方に向かって、略水平状態に設けた底面シートと、底面シートの自由端部より、ビニールハウスの天井面に向かって設けた内面シートでなる通気性シートで構成したハウスのチャンバーボックスと、シャツタを介して、ハウス内に循環空気域を生成するチャンバーボックスを利用した送風方法であり、底面シートを介して、ハウス内の空気を吸込むとともに、換気扇で吸込んだ外気をミキシングし、混合空気を生成し、混合空気を、内面シートを介して、ハウス内の略全体に送風するか、又は底面シート及び／又は内面シートを介して、チャンバーボックス内に吸込んだハウス内の空気を、換気扇を介して、ハウス内に送風するチャンバーボックスを利用した送風方法である。
【００３９】
従って、請求項６は、ハウス内の全体に、チャンバーボックスを介して、略均等に、緩やかな風を送りつつ、ハウス内の全体空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等が図れる特徴がある。また、請求項６は、作物の高温障害の回避、病気の発生・蔓延防止・萎凋化防止等（植物の生育環境の確保）が図れる実益がある。
【００４０】
請求項７の発明は、ビニールハウスの妻面に設けた換気扇及びシャツタと、換気扇の下側を基点に、ハウス内方に向かって、略水平状態に設けた底面シートと、底面シートの自由端部より、ビニールハウスの天井面に向かって設けた内面シートでなる通気性シートで構成したハウスのチャンバーボックスと、ハウス内に設けた循環扇を介して、ハウス内に循環空気域を生成するチャンバーボックスを利用した送風方法であり、循環扇を介して、ハウス内に循環空気域を生成するチャンバーボックスを利用した送風方法であり、底面シートを介して、ハウス内の空気を吸込むとともに、換気扇で吸込んだ外気をミキシングし、混合空気を生成し、混合空気を、内面シートを介して、ハウス内に送風するとともに、循環扇を介して、ハウス内の略全体に送風するか、又は底面シート及び／又は内面シートを介して、チャンバーボックス内に吸込んだハウス内の空気を、換気扇を介して、ハウス外に送風するチャンバーボックスを利用した送風方法である。
【００４１】
従って、請求項７は、ハウス内の全体に、チャンバーボックスと循環扇を介して、略均等に、緩やかな風を送りつつ、ハウス内の全体空気と外気をミキシングすることで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等が図れる特徴がある。また、請求項７は、作物の高温障害の回避、病気の発生・蔓延防止・萎凋化防止等（植物の生育環境の確保）が図れる実益がある。
【００４２】
請求項８の発明は、ビニールハウスの妻面に設けた換気扇及びシャツタと、妻面よりハウス内に位置し、かつ天井面を覆う遮蔽シートと、遮蔽シートの底面シートと、ハウス側の開口を閉塞する内面シートでなる通気性シートで構成した、ハウスのシャツタを介して、ハウス内の循環空気域の空気を、ハウス外に送風するチャンバーボックスを利用した送風方法であり、底面シートを介して、ハウス内の空気を吸込むとともに、換気扇で吸込んだ外気をミキシングし、混合空気を生成し、混合空気を、内面シートを介して、ハウス内の略全体に送風するか、又は底面シート及び／又は内面シートを介して、チャンバーボックス内に吸込んだハウス内の空気を、換気扇を介して、ハウス内に送風するチャンバーボックスを利用した送風方法である。
【００４３】
従って、請求項８は、ハウス内の全体に、チャンバーボックスを介して、略均等に、緩やかな風を送りつつ、ハウス内の全体の空気を排気することで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等が図れる特徴がある。また、請求項８は、作物の高温障害の回避、病気の発生・蔓延防止・萎凋化防止等（植物の生育環境の確保）が図れる実益がある。
【００４４】
請求項９の発明は、ビニールハウスの妻面に設けた換気扇及びシャツタと、妻面よりハウス内に位置し、かつ天井面を覆う遮蔽シートと、遮蔽シートの底面シートと、ハウス側の開口を閉塞する内面シートでなる通気性シートで構成した、ハウスのチャンバーボックスと、循環扇を介して、ハウス内の循環空気域の空気を、換気扇を介して、ハウス外に送風するチャンバーボックスを利用した送風方法であり、底面シートを介して、ハウス内の空気を吸込むとともに、換気扇で吸込んだ外気をミキシングし、混合空気を生成し、混合空気を、内面シートを介して、ハウス内に送風するとともに、循環扇を介して、ハウス内の略全体に送風するか、又は底面シート及び／又は内面シートを介して、チャンバーボックス内に吸込んだハウス内の空気を、換気扇を介して、ハウス外に送風するチャンバーボックスを利用した送風方法である。
【００４５】
従って、請求項９は、ハウス内の全体に、チャンバーボックスと循環扇を介して、略均等に、緩やかな風を送りつつ、ハウス内の全体の空気を排気することで、例えば、このハウス内における作物への送風領域の拡充と、効率的な送風を確保し、送風量の少量化と、ファン及び／又は換気扇の低容量化等による経済的な効果及び／又は省資源化の達成と、ランニングコストの低廉化を図り、又は作地面積の拡充による作物の収穫量の上昇、作物への作業性の向上等が図れる特徴がある。また、請求項９は、作物の高温障害の回避、病気の発生・蔓延防止・萎凋化防止等（植物の生育環境の確保）が図れる実益がある。
【発明を実施するための最良の形態】
【００４６】
本発明の一例を説明する。
【００４７】
図１−１はイチゴ棚栽培ハウス（二重張りハウスもあり得る）における通気性シートの関係を示した要部の側面模式図、図１−２は露地栽培ハウスにおける通気性シートの関係を示した要部の側面模式図、図２−１はイチゴ台（棚）栽培ハウスと換気扇の関係を示した一例（一重張りハウス）要部の正面図、図２−２は露地栽培ハウスと換気扇の関係を示した一例要部の正面図、図２−３はイチゴ台栽培ハウスと換気扇の関係を示した他の一例（二重張りハウス）要部の正面図、図２−４は露地栽培ハウスと換気扇の関係を示した要部の正面図、図３−１はハウスと通気性シートの関係を示した一例の要部の俯瞰図、図３−２はハウスと通気性シートの関係を示した他の一例の要部の俯瞰図、図４は通気性シートの拡大俯瞰図、図５−１は換気扇を備えたハウスの正面図、図５−２は換気扇の側面図、図５−３は換気扇の背面図、また、図６−１は他の換気扇を備えたハウスの正面図、図５−２は他の換気扇の吸込み状態を示した正面図、図６−３は他の換気扇の排気状態を示した背面図、図６−４は他の換気扇の側面図である。また、図７−１はイチゴ台栽培ハウスにおける通気性シートと、循環扇の関係を示した要部の側面模式図、図７−２は露地栽培ハウスにおける通気性シートと、循環扇の関係を示した要部の側面模式図である。
【００４８】
１はハウス（温室、工場等の建屋も含む）で、一重張りハウス１の外張りビニール１００と、この二重張りハウス１の外張りビニール１００と内張りビニール１０１がある。そして、この一重張りハウス１では、後述する遮蔽シート２（ビニールシート、遮熱シート、遮断シート等）を使用しないことを原則とする。また、この二重張りハウス１の例では、内張りビニール１０１の下側に、このハウスＡの一方の妻面１ａから、その棟方向Ａ１に向かって、遮蔽シート２（天井部位を遮蔽する山形三角、山形、無底形状でなる箱形又はドーム形状等で、遮蔽部材となる遮蔽シート２）を設ける。そして、この遮蔽シート２を利用し、通気性シート３（防虫ネットととしても役立つ）を、ハウス１の一方の妻面１ａの内側に架承することで、ハウス１の吸込み側（吸込み用）、又は排気側（排気用）のチャンバーボックス５を形成する。
【００４９】
この通気性シート３の一例は、一重張りハウス１に採用する。この一例は、図２−１と、図２−２、並びに図３−１に示してあり、その構造は、一方の妻面１ａの換気扇（後述する）の下側を、基点として、このハウス１内方１ｂに向かって、略水平状態に設けた底面シート３００と、この底面シート３００の延設方向（ハウス１の棟方向「Ａ」）のハウス側端部（自由端側３００ａ）より、ハウス１の天井面１−１に向かって連繋した内面シート３０１（その他、一体による折曲げ構造も可能、以下同じ）で構成する。そして、この一例では、内面シート３０１の自由端部３０１ａ、３０１ｂを天井面１−１に連設する。また、この通気性シート３の他の一例は、二重張りハウス１に採用する。この他の一例は、図２−３と、図２−４、並びに図３−２に示してあり、その構造は、平面形状の底面シート３００と、この底面シート３００の自由端側３００ａに連繋した、三角、山形又はドーム形状の内面シート３０１（一体による折曲げ構造も可能）で構成する。また、通気性シート３の他の一例は、遮蔽シート２の両底端部２００、２０１に、底面シート部３００の長手方向の両端部３００ｂ、３００ｃを連繋する。そして、この遮蔽シート２の長手方向のハウス側の自由端部（一例である両下がり山形端部２０２、２０３）に、内面シート３０１の両折曲げでなる山形の自由端部３０１ａ、３０１ｂを連繋する。そして、一部で説明したが、この通気性シート３は、底面シート３００と内面シート３０１が一体構造であって、この内面シート３０１を折曲げ形成した構成と、この底面シート３００と内面シート３０１を、個別の構造とし、この個別の構造を連繋した構成の何れでも可能である。尚、一重張りハウス１に採用する一例の通気性シート３は、ハウス１全体への送風の均一化と、作業・製造等の簡便化、経済的等に有効である。また、二重張りハウス１に採用する他の一例の通気性シート３は、ハウス１の略全体への送風の均一化と、温湿度調整の効率化等に有効である。また、本発明は、細霧冷房との組合せで、栽培環境の向上と、温湿度調整の効率化等に寄与できる。尚、通気性シート３の透孔率を介して、後述する各空気の送風量・送風距離、また、混合空気生成量、排気量等の調整と、作物に適した温湿度調整を図ることができる。
【００５０】
そして、この通気性シート３と、遮蔽シート２を一体化することで、ハウス１の一方の妻面１ａの内側に、虫の侵入・逃避防止と、風の循環通路として機能するチャンバーボックス５が構築される。
【００５１】
また、図中１０は換気扇であり、この換気扇１０は、図５−１〜図５−３に示した一例と、図６−１〜図６−４に示した他の一例が挙げられる。そこで、図５−１〜図５−３に示した一例は、平面板部と、枠板で形成した躯体１０２に取付けられる換気扇枠体１０００と、この換気扇枠体１０００に設けた羽根１００１と、この羽根１００１を回転するモータ１００２と、開閉自在のシャツタ１００３と、羽根１００１を囲繞するように設けたベルマウス１００４で構成する。そして、この換気扇１０をハウス１の一方の妻面１ａに取付ける。この一方の妻面１ａに取付けた換気扇１０（吸込式、又は排気式兼用）と、他方の妻面１ａ１のシャツタ１２を介して、ハウス１内に外気を吸込むか、又はハウス１内の空気（内気）を排気する構造である。この他の一例において、換気扇枠体１００の外周で、かつハウス１内に換気専用の内側枠体１０００ａを付設する構造では、この内側枠体１０００ａを、遮蔽シート２で囲繞する構造とする。これにより、ハウス１の内方１ｂに、略均一な送風が図れ、かつ棟方向Ａ１への送風が可能となること、又は後述する循環扇の台数の減少化に役立つこと、等の効果がある。そして、また、内側枠体１０００ａの遮蔽シート２の全部、又は一部を開放する（取外す）ことで、送風量・送風距離、また、混合空気生成量、排気量等の調整と、作物に適した温湿度調整が図れる実益がある。
【００５２】
ここで、最初に、本発明の吸込み側のチャンバーボックス５における風の流れを、図１−１〜図３−２の一例を基に説明すると、「イ」換気扇１０を駆動し、外気Ｈが、チャンバーボックス５に導入される。「ロ」この外気Ｈの導入にともなって、内気Ｈ１が下部空間Ｓ２より通気性シート３の底面シート３００を介して、チャンバーボックス５へ誘引され、「ハ」チャンバーボックス５内に導入された外気Ｈとミキシング（混合）し、混合空気ＨＨを生成する。「ニ」この混合空気ＨＨは、換気線１０の駆動により、通気性シート３の内面シート３０１を介して、ハウス１の長手方向の上部空間Ｓ１へ、ゆるやか、及び一定方向に略均等な流れの送風Ｘとなる。「ホ」そして、混合空気ＨＨは、換気扇１０と向かい合う壁面方向へ運ばれ（送風Ｘ）、一部（原則として、少ない、混合空気ＨＨ）をシャツタ１２より排気し、他の一部（原則として、多い、混合空気ＨＨ）を後述の如く、リターンさせる（リターンする混合空気ＨＨは調整可能である）。「ヘ」風力が弱まるにつれて、下方に向きを変え、下部空間Ｓ２へ向う（リターンによる送風Ｙ）。「ト」次に、下部空間Ｓ２へ運ばれた混合空気ＨＨは、前述した送風Ｘの流れに誘引されて、「チ」チャンバーボックス５のある上方へ導かれる（送風Ｙ）。このハウス１の空気の流れ及び／又は温湿度調整が図られる。
【００５３】
以上の説明を基にして、その全体の流れを説明すると、図１−１と、図２−１においては、この混合空気ＨＨは、ハウス１の長手方向１ｂに流れた後、下方にゆるやかな流れとなる。そして、その後、この混合空気ＨＨは、イチゴ栽培台の脚間を流れていき、新しく、チャンバーボックス５に導入された外気Ｈにより、一方の妻面１ａの近傍の内気Ｈ１が、このチャンバーボックス５に誘引される。この内気Ｈ１の誘引を介して、前記イチゴ栽培台の脚間を流れてきた内気Ｈ１を、一方の妻面１ａの近傍の上方に誘引される。この誘引された内気Ｈ１は、底面シート３００を介して、チャンバーボックス５に導入された外気Ｈと混合し、新たな混合空気ＨＨが生成される。それ以後は、前述の通りである。従って、本発明では、前述した複数の誘引を介して、作物Ｃの近傍及び／又は栽培台の脚間に、送風するとともに、ハウス１の棟方向Ａ１（長手方向）及び／又は全体において、環状に循環するゆるやかな風の流れが生成される。この風の流れが、換気扇１０の駆動と、遮蔽シート２と、通気性シート３を介して、繰り返され、前述の如く、混合空気ＨＨを生成し、この混合空気ＨＨが内面シート３０１を介して、ハウス１内にゆるやかに送りつつ、同時に外気Ｈを導入しながら、送風し続けることが可能となる。尚、図１−２では、混合空気ＨＨは、作物Ｃの近傍Ｃ１及び／又は栽培土壌の畝Ｇ間に、送風するとともに、ハウス１の棟方向Ａ及び／又は全体において、風の流れの確保及び／又は温湿度調整が図れる構造であり、その他は、前述の例に準ずる。図中１３は防虫ネットで、この一例では、防虫ネット１３は、他方の妻面１ａ１に設けたシャツタ１２に設ける。そして、この防虫ネット１３の透孔率も、前述の通気性シート２に準ずる。
【００５４】
続いて、本発明の排気側のチャンバーボックス５における風の流れを、図示しないが、その一例を説明すると、「イ−１」換気扇１０を駆動し、一方の内気Ｈ１が、通気性シート３の内面シート３０１を介して、チャンバーボックス５に導入される。「ロ−１」この一方の内気Ｈ１の導入にともなって、ハウスの１の下部空間Ｓ２にある他方の内気Ｈ１が、通気性シート３の底面シート３００を介して、チャンバーボックス５へ誘引され、「ハ−１」チャンバーボックス５内に導入された一方・他方の内気Ｈ１は、換気線１０の駆動により、ハウス１外に排気されるとともに、シャツタ１２を介して、外気Ｈがハウス１内に導入される。「ニ−１」このハウス１の換気及び／又は温湿度調整が図られる。
【００５５】
以上の説明を基にして、その全体の流れを説明すると（図６−３の状態を示した背面図を参照）、換気扇１０の駆動で、内面シート３０１と底面シート３００から、内気Ｈ１をチャンバーボックス５内に吸込み、このチャンバーボックス５に吸込まれた内気Ｈ１を、一方の妻面１ａから、ハウス１外に排気し、ハウス１の換気を図り、作物Ｃの近傍及び／又は栽培台の脚間に、送風するとともに、ハウス１の棟方向Ａ及び／又は全体において、環状に循環するゆるやかな換気の流れを確保できる。尚、他方の妻面１ａ１から、外気Ｈが、導入されて換気と、空気の流れが確保される。それ以後は、前述の通りである。従って、本発明では、前述した吸込み側のチャンバーボックス５の風の流れと、逆の流れであり、換気扇１０を駆動し、内気Ｈ１を、底面シート３００及び／又は内面シート３０１を介して、チャンバーボックス５内に吸込むとともに、この吸込んだ内気Ｈ１を、換気扇１０の駆動によりハウス１外に送風する構造である。これにより、ハウス１全体に、風の流れを確保しつつ、この風の流れで、排気（換気）及び／又は温湿度調整が図れること、前述の効果が期待できる。
【００５６】
前述した風のゆるやかな流れ（微風）と、風のスムーズな流れを確保することで、例えば、作物Ｃの葉裏に、常時、微風を送り、気孔から排出された炭酸ガス（炭酸ガスによる障壁空間）を払拭し、光合成に最適な環境、及び作物の成長を促進する環境を確保することができる。尚、これは、一例であり、ハウス１の規模等により、換気扇１０を複数設置すること、及びハウス１内に一つ、又は複数の循環扇（図示せず）を設けることも場合により考えられる。また、作物Ｃの種類・成長状況、昼夜等により、複数設けた換気扇１０及び循環扇を必要に応じて、選択駆動することも可能である。そして、送風Ｙは、作物Ｃが高所栽培の際、栽培作業台６の脚部を流れるため、風通しがよく、ハウス１内にいる作業人の足元の通気性も確保できるため、栽培作業の環境向上にも有効に働いている。
【００５７】
尚、図７−１と、図７−２に示した、イチゴ台栽培ハウスにおける通気性シートと、循環扇の関係を示した要部の側面模式図、露地栽培ハウスにおける通気性シートと、循環扇の関係を示した要部の側面模式図において、ハウス１内に、一基、又は複数基の循環扇２０を配した構造であり、吸込み式では、前記「イ」〜「チ」を介して、ハウス１内において、空気の流れ及び／又は温湿度調整が、ハウス１全体で確保できる。また、図示しないが、排気式では、前記「イ−１」〜「チ−１」を介して、ハウス１内への空気の取り込と、循環扇２０を配し、この取り込んだ空気（循環空気域）の一部を、ハウス１外に排気（換気）し（ハウス１内への吸込、及び／又は、ハウス１外に排気で）、ハウス１内の空気の換気及び／又は温湿度調整をハウス１全体で確保できる。
【図面の簡単な説明】
【００５８】
【図１−１】図１−１はイチゴ台栽培ハウスにおける通気性シートの関係を示した要部の側面模式図
【図１−２】図１−２は露地栽培ハウスにおける通気性シートの関係を示した要部の側面模式図
【図２−１】図２−１はイチゴ台（棚）栽培ハウスと換気扇の関係を示した一例（一重張りハウス）要部の正面図
【図２−２】図２−２は露地栽培ハウスと換気扇の関係を示した一例要部の正面図
【図２−３】３２−３はイチゴ台栽培ハウスと換気扇の関係を示した他の一例（二重張りハウス）要部の正面図
【図２−４】図２−４は露地栽培ハウスと換気扇の関係を示した要部の正面図
【図３−１】図３−１はハウスと通気性シートの関係を示した一例の要部の俯瞰図
【図３−２】図３−２はハウスと通気性シートの関係を示した他の一例の要部の俯瞰図
【図４】図４は通気性シートの拡大俯瞰図
【図５−１】図５−１は換気扇を備えたハウスの正面図
【図５−２】図５−２は換気扇の側面図
【図５−３】図５−３は換気扇の背面図
【図６−１】図６−１は他の換気扇を備えたハウスの正面図
【図６−２】図６−２は他の換気扇の吸込み状態を示した正面図
【図６−３】図６−３は換気扇の吸込み状態を示した背面図
【図６−４】図６−４は他の換気扇の側面図
【図７−１】図７−１はイチゴ台栽培ハウス（二重張りハウスもあり得る）における通気性シートと、循環扇の関係を示した要部の側面模式図
【図７−２】図７−２は露地栽培ハウスにおける通気性シートと、循環扇の関係を示した要部の側面模式図
【符号の説明】
【００５９】
１        ハウス
１ａ      一方の妻面
１ａ１    他の妻面
１ｂ      内方
１００    外張りビニール
１０１    内張りビニール
１０２    躯体
２        遮蔽シート
２００    底端部
２０１    底端部
２０２    下がり山形端部
２０３    下がり山形端部
３        通気性シート
３００    底面シート
３００ａ  自由端側
３００ｂ  端部
３００ｃ  端部
３０１    内面シート
３０１ａ  自由端部
３０１ｂ  自由端部
５        チャンバーボックス
６        栽培作業台
１０      換気扇
１０００  換気扇枠体
１００１  羽根
１００２  モータ
１００３  シャツタ
１００４  ベルマウス
１１      枢軸
１２      シャツタ
１３      防虫ネット
２０      循環扇
Ａ        棟
Ａ１      棟方向
Ｈ        外気
Ｈ１      内気
ＨＨ      混合空気
Ｓ１      上部空間
Ｓ２      下部空間
Ｃ        作物
Ｃ１      畝
【図１−１】
2010099009.tif 000003
【図１−２】
2010099009.tif 000004
【図２−１】
2010099009.tif 000005
【図２−２】
2010099009.tif 000006
【図２−３】
2010099009.tif 000007
【図２−４】
2010099009.tif 000008
【図３−１】
2010099009.tif 000009
【図３−２】
2010099009.tif 000010
【図４】
2010099009.tif 000011
【図５−１】
2010099009.tif 000012
【図５−２】
2010099009.tif 000013
【図５−３】
2010099009.tif 000014
【図６−１】
2010099009.tif 000015
【図６−２】
2010099009.tif 000016
【図６−３】
2010099009.tif 000017
【図６−４】
2010099009.tif 000018
【図７−１】
2010099009.tif 000019
【図７−２】
2010099009.tif 000020